(57)【要約】      （修正有）【課題】吹き矢筒の大部分を無駄にすることなく、経済的な損失を緩和できる，ジョイントで連結させて組み立てる吹き矢筒を提供する。【解決手段】吹き矢を、吹き矢筒１ａ、１ｂ、１ｃと、内筒２ａ、２ｂ、２ｃ及びジョイント３ａ、３ｂで構成する。内筒とジョイントは、吹き矢筒１ａ、１ｂ、１ｃの内面に内筒とジョイントの順で挿入し、吹き矢筒１ａ、１ｂ、１ｃを一体の筒として構成する。内筒２ａ、２ｂ、２ｃ及びジョイント３ａ、３ｂの内径は、それぞれ等しい。ジョイント３ａ、３ｂの外径は、吹き矢筒１ａ、１ｂ、１ｃの内径より極めてわずか大きくし、該吹き矢筒に該ジョイントを材料の持つ弾性を利用して接合を強く安定させる。以上の構成により、接合部４ｂ、接合部５ａなどが摩耗しても、ジョイント３ａ、３ｂなどを交換するだけで済む吹き矢を構成できる。【選択図】図５
0003142542.tif 000002
【実用新案登録請求の範囲】
【請求項１】
（イ）吹き矢筒１ａの内側面部に密着させるように内筒２ａを取り付ける。
（ロ）吹き矢筒１ａと内筒２ａのそれぞれの端部は、矢飛び出し口８でそろえる。
（ハ）吹き矢筒１ａより内筒２ａの長さは短い。
（ニ）吹き矢筒１ｂの内側面部に密着させるように内筒２ｂを取り付ける。
（ホ）吹き矢筒１ｂの中央部に内筒２ｂを取り付ける。
（ヘ）吹き矢筒１ｂより内筒２ｂの長さは短い。
（ト）吹き矢筒１ｃの内側面部に密着させるように内筒２ｃを取り付ける。
（チ）吹き矢筒１ｃと内筒２ｃのそれぞれの端部は、吹き口７でそろえる。
（リ）吹き矢筒１ｃより内筒２ｃの長さは短い。
（ヌ）吹き矢筒１ａ、１ｂ、１ｃの内径と内筒２ａ、２ｂ、２ｃの外径はそれぞれ等しい。
（ル）内筒２ａ、２ｂ、２ｃの内径とジョイント３ａ、３ｂの内径はそれぞれ等しい。
（ヲ）ジョイント３ａ、３ｂの外径は、吹き矢筒１ａ、１ｂ、１ｃの内径より、極めてわずか長くする。
（ワ）吹き矢筒１ａの接合部４ｂの長さと吹き矢筒１ｂの接合部５ａの長さを加えた長さはジョイント３ａの長さに等しい。
（カ）吹き矢筒１ｂの接合部５ｂの長さと吹き矢筒１ｃの接合部６ａの長さを加えた長さはジョイント３ｂの長さに等しい。
以上のごとく構成された、ジョイント３（３ａ、３ｂ）で連結させる吹き矢筒１（１ａ、１ｂ、１ｃ）。
【考案の詳細な説明】
【技術分野】
【０００１】  この考案は、ジョイント３（３ａ、３ｂ）で連結させて組み立てる吹き矢筒１（１ａ、１ｂ、１ｃ）に関するものである。
【背景技術】
【０００２】  吹き矢筒は長いので持ち運びに不便なため、図１に示すように、パーツに別けて、持ち運び、必要なときに接合部３０ｂ、接合部３０ｃで連結させて組み立てる。
【考案の開示】
【考案が解決しようとする課題】
【０００３】  何度も組み立てていると、接合部３０ｂの外側面や接合部３０ｃの外側面、さらに、接合部３１ｂの内側面や接合部３１ｃの内側面が磨耗してゆるくなり密着できず、吹き矢筒１０ａ、１０ｂ、１０ｃが外れたり、空気が漏れたりして、吹き矢を飛ばすのに支障をきたすようになる。
このため、磨耗したパーツが生じた場合、新しいものと交換することになり、吹き矢筒１０ａ、１０ｂ、１０ｃの大部分が無駄になり、経済的な損失が大きい。
本考案は、この欠点を緩和させるためになされたものである。
【課題を解決するための手段】
【０００４】  図４と図５で示すように、
（イ）吹き矢筒１ａの内側面部に密着させるように内筒２ａを取り付ける。
（ロ）吹き矢筒１ａと内筒２ａのそれぞれの端部は、矢飛び出し口８でそろえる。
（ハ）吹き矢筒１ａより内筒２ａの長さは短い。
（ニ）吹き矢筒１ｂの内側面部に密着させるように内筒２ｂを取り付ける。
（ホ）吹き矢筒１ｂの中央部に内筒２ｂを取り付ける。
（ヘ）吹き矢筒１ｂより内筒２ｂの長さは短い。
（ト）吹き矢筒１ｃの内側面部に密着させるように内筒２ｃを取り付ける。
（チ）吹き矢筒１ｃと内筒２ｃのそれぞれの端部は、吹き口７でそろえる。
（リ）吹き矢筒１ｃより内筒２ｃの長さは短い。
（ヌ）吹き矢筒１ａ、１ｂ、１ｃの内径と内筒２ａ、２ｂ、２ｃの外径はそれぞれ等しい。
（ル）内筒２ａ、２ｂ、２ｃの内径とジョイント３ａ、３ｂの内径はそれぞれ等しい。
（ヲ）ジョイント３ａ、３ｂの外径は、吹き矢筒１ａ、１ｂ、１ｃの内径より、極めてわずか長くする。
（ワ）吹き矢筒１ａの接合部４ｂの長さと吹き矢筒１ｂの接合部５ａの長さを加えた長さはジョイント３ａの長さに等しい。
（カ）吹き矢筒１ｂの接合部５ｂの長さと吹き矢筒１ｃの接合部６ａの長さを加えた長さはジョイント３ｂの長さに等しい。
本考案は、以上のごとく構成された、ジョイント３（３ａ、３ｂ）で連結させる吹き矢筒１（１ａ、１ｂ、１ｃ）である。
【考案の効果】
【０００５】  本考案により、次の効果を生む。
外径の異なるジョイント３ｃ、３ｄ・・・・３ｎをいくつも用意しておけば、接合部４ｂ、接合部５ａ、接合部５ｂ、接合部６ａが磨耗しても、ジョイント３ａ、３ｂをジョイント３ｃ、３ｄ・・・・３ｎに交換するだけで、吹き矢筒１ａ、１ｂ、１ｃを交換しなくても済む。
また、ジョイント３ａ、３ｂの外側面が磨耗しても、ジョイント３ａ、３ｂをジョイント３ｃ、３ｄ・・・・３ｎに交換するだけで、吹き矢筒１ａ、１ｂ、１ｃを交換しなくても済む。
この結果、従来のような吹き矢筒の大部分を無駄にすることなく、経済的な損失を緩和できる。
【考案を実施するための最良の形態】
【００１０】  以下、本考案を実施するための最良の形態を説明する。
（イ）吹き矢筒１ａの内側面部に密着させるように内筒２ａを取り付ける。
（ロ）吹き矢筒１ａと内筒２ａのそれぞれの端部は、矢飛び出し口８でそろえる。
（ハ）吹き矢筒１ａより内筒２ａの長さは短い。
（ニ）吹き矢筒１ｂの内側面部に密着させるように内筒２ｂを取り付ける。
（ホ）吹き矢筒１ｂの中央部に内筒２ｂを取り付ける。
（ヘ）吹き矢筒１ｂより内筒２ｂの長さは短い。
（ト）吹き矢筒１ｃの内側面部に密着させるように内筒２ｃを取り付ける。
（チ）吹き矢筒１ｃと内筒２ｃのそれぞれの端部は、吹き口７でそろえる。
（リ）吹き矢筒１ｃより内筒２ｃの長さは短い。
（ヌ）吹き矢筒１ａ、１ｂ、１ｃの内径と内筒２ａ、２ｂ、２ｃの外径はそれぞれ等しい。
（ル）内筒２ａ、２ｂ、２ｃの内径とジョイント３ａ、３ｂの内径はそれぞれ等しい。
（ヲ）ジョイント３ａ、３ｂの外径は、吹き矢筒１ａ、１ｂ、１ｃの内径より、極めてわずか長くする。
（ワ）吹き矢筒１ａの接合部４ｂの長さと吹き矢筒１ｂの接合部５ａの長さを加えた長さはジョイント３ａの長さに等しい。
（カ）吹き矢筒１ｂの接合部５ｂの長さと吹き矢筒１ｃの接合部６ａの長さを加えた長さはジョイント３ｂの長さに等しい。
本考案は以上の構成よりなっている。それを次に詳しく説明する。【００１１】「（イ）「吹き矢筒１ａの内側面部に密着させるように内筒２ａを取り付ける。」について説明する。
内筒２ａを吹き矢筒１ａの内側面部に密着させるには、粘着剤などを使用する。【００１２】「（ロ）吹き矢筒１ａと内筒２ａのそれぞれの端部は、矢飛び出し口８でそろえる。」について説明する。
吹き矢筒１ａと内筒２ａのそれぞれの端部を矢飛び出し口８でそろえるのは、吹き矢がスムーズに飛び出るようにするためである。【００１３】「（ハ）吹き矢筒１ａより内筒２ａの長さは短い。」について説明する。
内筒２ａの長さを吹き矢筒１ａより短くするのは、残りの部分をジョイント３ａとの接合部５ｂにするためである。【００１４】「（ニ）吹き矢筒１ｂの内側面部に密着させるように内筒２ｂを取り付ける。」について説明する。
内筒２ｂを吹き矢筒１ｂの内側面部に密着させるには、粘着剤などを使用する。【００１５】「（ホ）吹き矢筒１ｂの中央部に内筒２ｂを取り付ける。」と「（ヘ）吹き矢筒１ｂより内筒２ｂの長さは短い。」をあわせて説明する。
内筒２ｂの長さを吹き矢筒１ｂより短くし、内筒２ｂを吹き矢筒１ｂの中央部に取り付けるのは、吹き矢筒１ｂの内部端部にジョイント３ａとの接合部５ａを設けるためとジョイント３ｂとの接合部５ｂを設けるためである。【００１６】「（ト）吹き矢筒１ｃの内側面部に密着させるように内筒２ｃを取り付ける。」について説明する。
内筒２ｃを吹き矢筒１ｃの内側面部に密着させるには、粘着剤などを使用する。【００１７】「（チ）吹き矢筒１ｃと内筒２ｃのそれぞれの端部は、吹き口７でそろえる。」について説明する。
吹き矢筒１ｃと内筒２ｃのそれぞれの端部を吹き口７でそろえるのは、吹いた息をスムーズに内筒２ｃに送り込むためである。【００１８】「（リ）吹き矢筒１ｃより内筒２ｃの長さは短い。」について説明する。
内筒２ｃの長さを吹き矢筒１ｃより短くするのは、残りの部分をジョイント３ｂとの接合部６ａにするためである。【００１９】「（ヌ）吹き矢筒１ａ、１ｂ、１ｃの内径と内筒２ａ、２ｂ、２ｃの外径はそれぞれ等しい。」と「（ル）内筒２ａ、２ｂ、２ｃの内径とジョイント３ａ、３ｂの内径はそれぞれ等しい。」をあわせて説明する。
矢や吹いた息が筒内をスムーズに移動できるようにするためである。【００２０】「（ヲ）ジョイント３ａ、３ｂの外径は、吹き矢筒１ａ、１ｂ、１ｃの内径より、極めてわずか長くする。」について説明する。
吹き矢筒１ａ、１ｂ、１ｃの内径よりジョイント３ａ、３ｂの外径を極めてわずか長くするのは、吹き矢筒１ａ、１ｂ、１ｃやジョイント３ａ、３ｂの材料の持つ弾性を利用して、吹き矢筒１ａ、１ｂ、１ｃとジョイント３ａ、３ｂの接合を強く安定させるためである。【００２１】「（ワ）吹き矢筒１ａの接合部４ｂの長さと吹き矢筒１ｂの接合部５ａの長さを加えた長さはジョイント３ａの長さに等しい。」と「（カ）吹き矢筒１ｂの接合部５ｂの長さと吹き矢筒１ｃの接合部６ａの長さを加えた長さはジョイント３ｂの長さに等しい。」をあわせて説明する。
ジョイント３ａを内筒２ａと内筒２ｂに密着させ、ジョイント３ｂを内筒２ｂと内筒２ｃに密着させ、矢や吹いた息が筒内をスムーズに移動できるようにするためである。
【使用例１】
【００３０】  本考案は、次のように組み立てる。
１：吹き矢筒１ａにジョイント３ａを挿入する。
２：吹き矢筒１ｂにジョイント３ａを挿入する。
３：吹き矢筒１ａと吹き矢筒１ｂを密着させる。
４：吹き矢筒１ｂにジョイント３ｂを挿入する。
５：吹き矢筒１ｃにジョイント３ｂを挿入する。
６：吹き矢筒１ｂと吹き矢筒１ｃを密着させる。
【使用例２】
【００３１】  本考案は、図４、５に示すように、右側が吹き矢口７で左側が矢飛び出し口８になっているが、これを逆にして使用しても差し支えない。
【図面の簡単な説明】
【００４０】
【図１】は、従来の吹き矢筒の組み立て前の斜視図である。
【図２】は、従来の吹き矢筒の組み立て前の断面図である。
【図３】は、従来の吹き矢筒の組み立て後の断面図である。
【図４】は、本考案の吹き矢筒の組み立て前の斜視図である。
【図５】は、本考案の吹き矢筒の組み立て後の断面図である。
【符号の説明】
【００５０】１  吹き矢筒    １ａ  吹き矢筒    １ｂ  吹き矢筒    １ｃ  吹き矢筒
２  内筒    ２ａ  内筒    ２ｂ  内筒    ２ｃ  内筒
３  ジョイント    ３ａ  ジョイント    ３ｂ  ジョイント
４ｂ  結合部    ５ａ  結合部    ５ｂ  結合部    ６ａ  結合部
７  吹き口    ８  矢飛び出し口
１０  吹き矢筒    １０ａ  吹き矢筒    １０ｂ  吹き矢筒    １０ｃ  吹き矢筒
２０  内筒    ２０ａ  内筒    ２０ｂ  内筒    ２０ｃ  内筒
３０ｂ  結合部    ３０ｃ  結合部    ３１ｂ  結合部    ３１ｃ  結合部
４０  吹き口    ５０  矢飛び出し口
【図１】
0003142542.tif 000003
【図２】
0003142542.tif 000004
【図３】
0003142542.tif 000005
【図４】
0003142542.tif 000006
【図５】
0003142542.tif 000007